(57)【特許請求の範囲】
【請求項１】
住宅の床下地盤に施工される土間コンクリート層に設けられる排水管装置であって、
前記土間コンクリート層を貫通し、下端が前記床下地盤内に上端が土間コンクリート層の表面位置に配置される筒状の本体筒部と、
前記本体筒部の上端を塞いで着脱自在に取り付けられる蓋部と、
前記本体筒部および前記蓋部の外周を囲んで着脱自在に嵌挿され、土間コンクリート層の打設許容範囲を示す指示部を外面に有する保護筒と
を備える排水管装置。
【請求項２】
前記本体筒部の上端内周に雌ねじ部を有し、前記蓋部の外周に雄ねじ部を有し、蓋部が本体筒部に対してねじ込み取り付けされる
請求項１に記載の排水管装置。
【請求項３】
前記本体筒部が、前記蓋部を着脱自在に取り付ける取付筒部と、取付筒部の下方に連結される直管部とからなる
請求項１または２に記載の排水管装置。
【請求項４】
前記本体筒部の外周に防蟻帯をさらに備える
請求項１〜３に記載の排水管装置。
【請求項５】
前記本体筒部が、前記土間コンクリート層よりも下方になる側面に、水が通過自在な通水部を有する
請求項１〜４の何れかに記載の排水管装置。
【請求項６】
前記保護筒が、その内周面に前記蓋部の上端に当接する係止突起を有する
請求項１〜５の何れかに記載の排水管装置。
【請求項７】
住宅の床下地盤に施工される土間コンクリートにおける排水管の施工方法であって、
請求項１〜６の何れかに記載の排水管装置を、前記本体筒部の上部を露出させて前記床下地盤に埋め込む工程(a) と、
床下地盤の上で、前記排水管装置の保護筒に有する指示部が示す許容範囲にその上端面が配置されるように土間コンクリート層を打設する工程(b) と、
前記土間コンクリート層の打設後に、保護筒のうち少なくとも本体筒部の上端よりも上方の部分を除去する工程(c) と、
を含む土間コンクリートの排水管施工方法。
【発明の詳細な説明】
【０００１】
【発明の属する技術分野】
本発明は、土間コンクリートの排水管装置および排水管施工方法に関し、住宅の床下空間に土間コンクリート層を施工するときに、土間コンクリート層の上に溜まる雨水などを排水するための排水管装置と、この排水管装置を用いて排水管を施工する方法とを対象にしている。
【０００２】
【従来の技術】
一般住宅などの床下空間は、地盤が露出したままにしておく場合と、土間コンクリート層で覆っておく場合とがある。
壁状の布基礎で囲まれた床下空間内の地盤に土間コンクリート層を施工すれば、床下空間が地盤に対して完全に隔離されるので、湿気や白蟻が、地盤から床下空間を経て住宅の上部構造へと侵入することを効果的に阻止できる。
しかし、床下空間が土間コンクリート層および布基礎で囲まれていると、土間コンクリート層の施工後に雨が降ったり、住宅の施工後に水害などがあったりして床下空間に浸入した水が、何時までも排出されずに溜まってしまうという問題がある。
【０００３】
そこで、土間コンクリート層を貫通して地盤に到達する排水孔あるいは排水管を施工することが考えられた。床下空間に浸入した水は、排水孔を通じて地盤へと排水される。
但し、排水孔で地盤と床下空間とが連通していると、排水孔を伝って白蟻が侵入してきたり、地盤の湿気が排水孔を通じて床下空間に入り込んだりする問題が発生する。
そこで、排水孔を塞ぐ蓋を取り付けておくことが提案されている。通常は蓋を取り付けたままにして白蟻などの侵入を防ぎ、前記した排水が必要なときには蓋をあけて排水を行うようにする。
【０００４】
排水管に対して蓋を着脱自在に取り付ける構造としては、排水管の開口に蓋を押し込むだけの構造のほか、排水管の内面に切られた雌ねじと蓋の外周に切られた雄ねじとをねじ込み自在に組み合わせたり、蓋と排水管とに互いに係止自在な凹凸状の係止部を設けておいたりすることが行われている。
【０００５】
【発明が解決しようとする課題】
前記した蓋付きの排水管を施工する場合、土間コンクリート層を打設施工する際に、流動性のあるコンクリートが排水管と蓋との間に浸入したり、浸入したコンクリートが硬化して排水管と蓋とを固着させてしまうという問題がある。
蓋を外した状態で、土間コンクリート層の打設施工を行えば、蓋が排水管に固着することはないが、排水管の開口からコンクリートが流入して排水管を詰まらせたりして排水機能を損なう問題が生じる。
本件特許出願人は、先に特許出願した特願平１１−９２８０４号にて、上端が閉口した排水管を用いて土間コンクリート層の打設施工を行ったあと、排水管の上部を切断して開口させる技術を提案している。
【０００６】
この方法は、土間コンクリート層の打設施工後に、排水管を切断除去し、切断面を研削などで仕上げる工程が必要であるとともに、排水管の切断された開口には、前記したねじ込み構造や係止構造を有する蓋を取り付けることが困難である。
本発明の課題は、前記した蓋付きの排水管装置において、土間コンクリート層の打設施工時に排水管と蓋とが固着することを確実に防ぐとともに、施工後の蓋による密閉性を高め取扱いを容易にすることである。
【０００７】
【課題を解決するための手段】
本発明にかかる土間コンクリートの排水管装置は、住宅の床下地盤に施工される土間コンクリート層に設けられる排水管装置であって、前記土間コンクリート層を貫通し、下端が前記床下地盤内に上端が土間コンクリート層の表面位置に配置される筒状の本体筒部と、前記本体筒部の上端を塞いで着脱自在に取り付けられる蓋部と、前記本体筒部および前記蓋部の外周を囲んで着脱自在に嵌挿され、土間コンクリート層の打設許容範囲を示す指示部を外面に有する保護筒とを備える。
【０００８】
〔土間コンクリート層〕
土間コンクリート層は、住宅の床下空間に露出する地盤の表面に施工される。
住宅としては、一般の個人住宅あるいは集合住宅などの通常の住宅に適用できる。住宅の床下空間は、住宅の基礎構造である布基礎で周囲を囲まれた空間であり、布基礎の内側に露出する床下地盤の全体を所定の厚みを有する土間コンクリート層で覆う。
土間コンクリート層は、床下地盤の表面にコンクリートを層状に打設して構築される。必要に応じて、鉄筋を配筋した上にコンクリートが打設される。土間コンクリート層を打設する床下地盤には、栗石などを堆積させて水はけを良好にしておくことができる。防蟻処理を施しておくこともできる。
【０００９】
土間コンクリート層の厚みとしては、住宅の構造によっても異なるが、通常は５０〜２００mm程度に設定される。
布基礎で囲まれた区画毎に、土間コンクリート層の表面から土間コンクリート層の下方の地盤へと排水する排水管装置が設けられる。１区画の床下空間には通常は１個の排水管装置を設けておけばよいが、床下空間の広さや構造によっては、複数個所に排水管装置を設けることもできる。また、複数の区間のうち、一部の区画だけに排水管装置を設け、残りの区画と排水管装置を設置した区画との間に、布基礎を貫通して排水を流す排水路を設けておけば、排水管装置の設置個数を削減することができる。
【００１０】
土間コンクリート層の表面は、全体が水平であってもよいし、排水管装置の設置個所に向かう下り勾配や排水管装置の設置個所が低くなる段差などが設けられていてもよい。
〔本体筒部〕
土間コンクリート層の表面に溜まった水を地盤まで通過させて排水する排水管装置の主要な構造である。
本体筒部は、全体が筒状をなしている。円筒、楕円筒、多角形筒などが採用できる。全長が同じ断面形状あるいは径であってもよいし、場所によって断面形状が変化したり、径が細くなったり太くなったりしているものでもよい。本体筒部の内径は５０〜１５０mm程度に設定される。本体筒部の上下端は開口している。
【００１１】
本体筒部を構成する材料としては、塩化ビニル、ポリプロピレンなどの合成樹脂、繊維強化樹脂、金属、木質材、無機硬化材料などが用いられる。
本体筒部は、土間コンクリート層を貫通し、下端が床下地盤内に上端が土間コンクリート層の表面位置に配置される長さを有している。
本体筒部のうち、床下地盤内に埋め込まれる部分の長さは、後述する通水部の位置や幅、床下地盤の通水性などの条件によって決められるが、通常は、５０〜２００mm程度に設定される。
本体筒部の上端は、土間コンクリート層の表面と一致していれば排水の流入が確実に行える。本体筒部の上端が土間コンクリート層の表面よりも低い位置にあっても排水の流入には支障がない。本体筒部の上端が土間コンクリート層の表面よりも高い位置にあると、本体筒部の上端と土間コンクリート層の表面との段差分だけ排水が残ることになるが、残る排水の量が実用的に問題がない程度であれば構わない。通常は、本体筒部の上端が土間コンクリート層の表面よりも低い場合は３０mm程度以内、高い場合は５mm程度以内に収めておく。土間コンクリート層の表面から突出した部分の本体筒部に排水用の切り欠きや孔を設けておくこともできる。
【００１２】
本体筒部の上部には、蓋部を着脱自在に取り付けるための構造を備えておく。
〔防蟻帯〕
本体筒部の外周に防蟻帯を備えておくことができる。防蟻帯の材料は、通常の建築施工に用いられる防蟻シートや防蟻テープが使用できる。防蟻帯として、裏面に粘着剤層が設けられたものを用いれば、本体筒部への貼着作業が行い易い。勿論、各種の接着剤を用いて防蟻帯を本体筒部に貼着することもできる。
防蟻帯の幅は、白蟻が乗り越えていくことが困難な程度に設定される。具体的には５〜２０cm程度に設定するのが好ましい。
【００１３】
防蟻帯は、本体筒部のうち、施工時に土間コンクリート層に埋め込まれる範囲で比較的に上端に近い部分に設けておくのが、防蟻機能を確実に果たす上で好ましい。
防蟻帯は本体筒部に対して通常は１個所に設けておけば十分であるが、防蟻機能を確実にするために本体筒部の上下方向に間隔をあけて複数個所に防蟻帯を配置しておくこともできる。
防蟻帯を、本体筒部の内面にも設けておくことができる。この場合は、本体筒部の内面からの白蟻の侵入防止に有効である。
【００１４】
防蟻帯として、ペースト状のコーキング材やシーリング材に防蟻成分を配合したものを、本体筒部に塗工して形成することもできる。
〔通水部〕
本体筒部を通過する排水は、本体筒部の下端の開口から地盤に排水されるが、地盤への排水をより効率的に行うために、本体筒部のうち、施工状態で土間コンクリート層よりも下方になる側面に、水が通過自在な通水部を有することができる。
通水部は、水の通過が良好に行えるとともに、地盤から本体筒部へ砂礫などが流入し難い形状構造を有するものが好ましい。
【００１５】
通水部の具体的形状として、スリット状の切り込みを本体筒部の周方向に設けることができる。本体筒部の下端から垂直方向に延びる切り込みを設けることもできる。円形その他の断面形状を有する貫通孔を格子状あるいは千鳥状に配列しておくことができる。
〔取付筒部と直管部〕
本体筒部を、蓋部を着脱自在に取り付ける取付筒部と、取付筒部の下方に連結される直管部とで構成することができる。
直管部は、単純な形状の筒材が使用できるので、市販のパイプ材料をそのまま使用することができる。例えば、配管用の塩化ビニル管などが使用できる。
【００１６】
取付筒部は、蓋部の取付構造を設ける必要があるため、合成樹脂の成形品などで構成される。
取付筒部と直管部とは、接着剤、熱融着、締結金具、嵌合、接着テープの巻き付けなどの手段によって連結される。取付筒部と直管部とが同じ材料からなるものであれば、接着などによる連結が行い易い。
直管部の長さを増減することで、本体筒部の全長を調整することができる。この場合、取付筒部の成形構造などは全く変更する必要がないので、住宅の施工条件の変更に容易に対応することができる。
【００１７】
〔蓋部〕
本体筒部の上端に存在する開口を塞ぐことができる構造を有していれば、各種の蓋構造を採用することができる。
蓋部には、着脱操作の際に把持する把手部を設けておくことができる。
蓋部の材料は、本体筒部と同様の合成樹脂などが使用される。
蓋部を本体筒部と着脱自在に取り付ける構造としては、単なる嵌合、凹凸形状による係合、雌雄一対のねじ部によるねじ込み構造などが採用できる。より具体的には、本体筒部の上端内周に雌ねじ部を有し、蓋部の外周に雄ねじ部を有しておくことができる。
【００１８】
蓋部は本体筒部に対して隙間なく取り付けられるものが好ましい。但し、白蟻が侵入のできない程度に狭い隙間であればわずかな隙間があいていても構わない。水密性の高い蓋部を用いると、地盤から浸出してくる地下水が土間コンクリート層の上に溢れるのを阻止することができる。
蓋部と本体筒部との当接面にＯリングなどの密閉手段を設けておけば、蓋部の密閉性を向上させることができる。
〔保護筒〕
土間コンクリート層の打設施工などの際に、本体筒部の上部および蓋部を保護しておく。排水管装置の施工後は、全体あるいは不要部分が除去される。
【００１９】
保護筒は、本体筒部の外形に対応する筒形状をなす。円筒状のほか多角筒状などでもよい。
保護筒の材料は、前記した保護機能が果たせる程度の形状維持性があれば、紙、合成樹脂その他の材料が使用できる。紙材は、切除作業や廃棄処理が行い易く好ましい。市販の紙管は、強度的にも十分な機能を有する。
保護筒は、本体筒部および蓋部の外周形状に沿って嵌挿するだけで取り付けることができる。保護筒の内周面に蓋部の上端に当接する係止突起を有していれば、蓋部に対する保護筒の取付位置が正確に位置決めされる。係止突起は、内周面の全周にわたる環状のものでもよいし、周方向に部分的あるいは断続的に配置されたものでもよい。
【００２０】
〔指示部〕
保護筒の外面に設けられる。土間コンクリート層の打設許容範囲とは、土間コンクリート層を打設施工する際に、土間コンクリート層の表面位置を配置しても良い範囲を上下方向に一定の幅で示す。
前記したように、本体筒部の上端位置は、土間コンクリート層の表面位置とほぼ同じ位置に配置されるのが好ましい。この本体筒部の上端位置を基準にして上限に一定の幅をとった範囲を、本体筒部に保護筒を取り付けた状態で、保護筒の外面に指示部として表示しておく。
【００２１】
指示部は、模様部、着色部、指示線、文字や記号による指示など、視覚的に認識される指示であれば良い。指示部は印刷によって形成することができる。保護筒の外面に凹凸をエンボス加工したり溝を切ったりすることで立体的な指示部を形成することもできる。
指示部は、前記した上下範囲の上限位置と下限位置とを表すだけであってもよいし、本体筒部の上端位置に対応する基準位置を表してもよいし、基準位置から上下に目盛りで距離を示しておくこともできる。
土間コンクリート層の設計仕様や排水管装置の設置条件などの違いに合わせて、保護筒に複数種類の指示部を設けておくこともできる。
【００２２】
〔排水管の施工方法〕
排水管装置は、本体筒部に蓋部を取り付け、その外周に保護筒を嵌挿させた状態で用いる。
床下地盤は、土間コンクリート層を打設施工するまでに必要な施工を完了しておく。例えば、地盤の均し作業や地盤に栗石を敷き詰める作業などである。地盤の表面に防蟻処理を施しておくこともできる。
排水管装置の下部を床下地盤に埋め込む。床下地盤に穴を掘って、この穴に排水管装置を差し込み、排水管装置の周囲で穴に土や砂利を埋め戻すことができる。排水管装置を地盤に押し込んで埋めることもできる。
【００２３】
排水管装置のうち、床下地盤に埋め込む範囲は、少なくとも本体筒部の下端が完全に地盤に埋め込まれるようにする。本体筒部の下部側面に通水部を有する場合は、通水部も完全に地盤に埋め込まれるようにする。また、本体筒部の上端位置が、予定されている土間コンクリート層の表面位置に配置されるように設定しておく。土間コンクリート層の打設時にコンクリートの圧力で排水管装置が倒れたり傾いたりしない程度に排水管装置を自立させておくのが好ましい。必要であれば、排水管装置を固定する支え部材を設置することもできる。
地盤に排水管装置が設置されたあとで、土間コンクリート層の打設を行う。具体的な作業手順や処理方法は、通常の住宅における土間コンクリート層の打設工程と同様に行われる。コンクリートを打設する前に、均しモルタルを施工しておくこともできる。
【００２４】
コンクリートの打設は、注入されたコンクリート液の表面が、排水管装置の保護筒に形成された指示部の範囲内に収まるようにして行う。
注入されたコンクリートが硬化すれば、土間コンクリート層が形成される。土間コンクリート層の表面は、保護筒の指示部で指示される許容範囲内に配置される。
土間コンクリート層に排水を促進させるための勾配を形成しておくことができる。この場合、排水管装置のところが最も低くなり、そこから離れるにしたがって高くなるような勾配を設けておくのが好ましい。土間コンクリート層の表面に、排水管装置の周囲が低くなる段差を設けておくこともできる。何れの場合も、排水管装置の周辺における土間コンクリート層の表面位置が、保護筒の指示部で指示される許容範囲に入るようにしておく。
【００２５】
土間コンクリート層が打設された後で、保護筒のうち本体筒部の上端よりも上方の部分を除去する。これによって、本体筒部の上端および蓋部が露出し、排水機能を発揮できるようになる。
保護筒は、本体筒部の上端よりも上方の部分だけを除去してもよいし、保護筒の全体を除去してもよい。
土間コンクリート層が完全に硬化する前であれば、保護筒を抜き取ることで除去できる場合がある。保護筒の外面にコンクリートに対する付着防止処理を施しておけば、硬化後の土間コンクリート層から保護筒を抜き出すこともできる。保護筒を抜き取った跡にはモルタルなどを注入して埋めておくのが好ましい。
【００２６】
保護筒を、土間コンクリート層の表面位置で水平方向に切断すれば、土間コンクリート層の表面位置よりも上方すなわち本体筒部の上端面よりも上方の部分を切断除去することができる。保護筒の内周に蓋部の上面に係止される係止突起を有している場合、この係止突起も除去しておくことが好ましい。
保護筒の切断は、ナイフ、鋸、カッター装置などを用いることができる。
保護筒が除去された排水管装置は、土間コンクリート層の表面に本体筒部の上端および蓋部が露出した状態になる。蓋部は着脱自在である。
【００２７】
【発明の実施形態】
〔床下構造〕
図１は、通常の個人住宅などにおける床下構造を示している。
地盤Ｅに、鉄筋コンクリートからなり枠壁状の布基礎１０が施工される。布基礎１０の一部は地盤Ｅに埋め込まれており、布基礎１０の上端に土台１２を介して床面１４や壁面１６などの上部構造が施工される。
布基礎１０は地盤Ｅを格子状に区切り、床面１４で覆われた床下空間Ｓが構成される。この床下空間Ｓの地盤Ｅの上に土間コンクリート層１８が配置される。
【００２８】
土間コンクリート層１８は、布基礎１０と同様の鉄筋コンクリートで構築される。床下空間Ｓと地盤Ｅとは土間コンクリート層１８によって隔離される。
土間コンクリート層１８に排水管装置２０が取り付けられる。
図１では、床下空間Ｓのうち、布基礎１０で囲まれた一つの区画に排水管装置２０が設置されるとともに、隣接する区画との仕切りになる布基礎１０には、土間コンクリート層１８の表面に排水路１９を設けている。その結果、隣接する区画の水を排水路１９を経て、排水管装置２０を設置した区画へと送り込んで排水することができる。
【００２９】
排水路１９は、布基礎１０を打設施工する際に、例えば、合成樹脂管や紙管を半分に切った半円弧状の排水路部材７０を設置してからコンクリートを打設することで、排水路部材７０で囲まれた半円筒状の排水路１９を簡単に構築することができる。排水路部材７０として、雨樋用の材料を利用することができる。
〔排水管装置〕
排水管装置２０は、全体が筒状をなす本体筒部３０と本体筒部３０の上端開口を塞ぐ蓋部４０とを有している。
図２は、本体筒部３０と蓋部４０の関連構造を示している。本体筒部３０は、市販の塩化ビニル樹脂製パイプからなる直管部３２と、直管部３２の上端に接合され、直管部３２と同じ塩化ビニル樹脂の成形品からなる取付筒部５０とを有する。直管部３２の具体例として、市販のＶＵ管（呼び径５０、外径６０mm、内径５６mm、塩化ビニル製）が使用できる。
【００３０】
取付筒部５０は、内周面の上部に雌ねじ部５２を有する。取付筒部５０の上端外周には外側に張り出したフランジ５４を有する。取付筒部５０の上端にはゴム製のＯリング５６が装着されている。取付筒部５０の外径は直管部３２の外径よりも少し大きく、例えば６９mmφに設定される。
取付筒部５０と直管部３２とは接着剤などで接合されているとともに、接合部分の外周に防蟻帯３４が巻き付けられて貼り付けられている。防蟻帯３４は、通常の粘着性を有する防蟻テープが使用される。防蟻帯３４の幅は、例えば１００mm程度のものが用いられる。
【００３１】
防蟻帯３４の上方で取付筒部５０の外周には、柔軟な合成樹脂発泡体などからなる間隔保持環３６が設けられている。間隔保持環３６は、後述する保護筒６０が嵌挿されたときに、保護筒６０と取付筒部５０との間の間隔を保持し、土間コンクリート層１８を打設したときの圧力などで保護筒６０が変形したり移動したりするのを防ぐことができる。コンクリートが間隔保持環３６の上方に入り込むのを阻止する機能もある。
蓋部４０は、取付筒部５０と同様の塩ビ成形品からなり、下部の外周に雄ねじ部４２を有する。雄ねじ部４２の上方には外側に張り出したフランジ４４を有する。蓋部４０の上面中央には上方に突出する把手部４６を有する。この把手部４６を持って回すことで、蓋部４０の取付筒部５０に対するねじ込み操作が行い易くなる。
【００３２】
蓋部４０の雄ねじ部４２を取付筒部５０の雌ねじ部５２にねじ込むことで、蓋部４０が取付筒部５０に取り付けられ、取付筒部５０の上端開口が塞がれる。ねじ込み構造を有していることで、蓋部４０が取付筒部５０に対して隙間無く密着して取り付けられる。また、振動などが加わっても蓋部４０が自然に外れてしまうことが少ない。
しかも、蓋部４０の下端面と取付筒部５０の上端面との間にＯリング５６が挟み込まれているので、蓋部４０と取付筒部５０との間の隙間は確実に塞がれる。Ｏリング５６の弾力的な変形に伴う反発力で、蓋部４０の雄ねじ部４２と取付筒部５０の雌ねじ部５２との緩みを防止する機能も発揮できる。
【００３３】
土間コンクリート層１８に排水管装置２０が取り付けられた状態で、本体筒部３０の取付筒部５０の上端が、土間コンクリート層１８の表面とほぼ同じ高さ位置に配置されるようになっている。これによって、土間コンクリート層１８の表面に溜まった水が、確実に排水管装置２０に流れ込んで排水される。但し、取付筒部５０の上端が土間コンクリート層１８の表面よりもわずかに高い程度であっても実用的には問題はない。また、土間コンクリート層１８の表面に、排水管装置２０の取付位置が低く排水管装置２０から離れるほど高くなるような傾斜を付けておけば、排水の流れがスムーズになる。
【００３４】
〔施工前の排水管装置〕
図３は、土間コンクリート層１８に施工される前の排水管装置２０を示している。
取付筒部５０を含む本体筒部３０および蓋部４０の構造は前項で説明したとおりである。
本体筒部３０のうち直管部３２は、下端が開口しているとともに下端に近い部分の側面に水平方向の切り込みからなる通水部３８が複数段にわたって設けられている。この通水部３８は、施工時に土間コンクリート層１８よりも下方で地盤Ｅに埋設される部分に設けられる。通水部３８の幅および長さは、排水が容易に通過できるとともに地盤Ｅの土砂などが直管部３２の内部に侵入し難いように設定される。通水部３８の具体的寸法として、直管部３２の下端より１０mmの位置から、幅４mmの水平切り込みを８mmづつの間隔をあけて合計５本設けておくことができる。この場合、通水部３８は、直管部３２の下端から６２mmまでの位置に設けられることになる。
【００３５】
蓋部４０がねじ込み取付された取付筒部５０の外周に、紙管からなる保護筒６０が嵌挿されている。保護筒６０の具体的寸法として、外径７０mm、内径６９mmで長さ１００mmのものが用いられる。保護筒６０の内周には係止突起６４が設けられている。保護筒６０を蓋部４０および取付筒部５０の上方に嵌め込んだときに、蓋部４０の上面に保護筒６０の係止突起６４が当接することで、保護筒６０が正確に位置決めされる。
保護筒６０の外周面には、上下方向の中央付近に、印刷、着色などで帯状に表示された指示部６２を有する。指示部６２の形成位置および幅は、保護筒６０を蓋部４０および取付筒部５０の外周に取り付けた状態で、取付筒部５０の上端面が配置される位置を基準にして決定される。具体的には、前記した取付筒部５０の上端面よりも少し下の位置に指示部６２の下辺が配置され、取付筒部５０の上端面よりも少し上方の位置に指示部６２の上辺が配置される。指示部６２の上下方向の中心は、取付筒部５０の上端面位置よりも少し上方に配置されている。指示部６２の上下幅は、例えば３０mm程度に設定される。
【００３６】
〔排水管の施工〕
図３に示す構造の排水管装置２０を用いて、土間コンクリート層１８への排水管施工を行う。
図１において、土間コンクリート層１８の施工を行う前に、床下空間Ｓの地盤Ｅに排水管装置２０を配置する。図１では保護筒６０が表示されていないが、保護筒６０を取り付けた状態の排水管装置２０が設置される。排水管装置２０は、地盤Ｅに対して垂直な姿勢で埋め込む。直管部３２の下部の通水部３８が地盤Ｅに完全に埋め込まれるようにする。直管部３２のうち防蟻帯３４よりも上方の部分は、地盤Ｅの上方に露出させておく。
【００３７】
この状態で、地盤Ｅの上方に必要に応じて鉄筋を配置したりしたあと、コンクリートを流し込み、土間コンクリート層１８の打設を行う。
図３に示すように、土間コンクリート層１８の表面位置Ｌが、保護筒６０の指示部６２の範囲に配置されるように、コンクリートの打設が行われる。実際には、予め設計された土間コンクリート層１８の厚みに合わせて、排水管装置２０における直管部３２の長さおよび地盤Ｅに埋め込む深さなどを設定することで、指示部６２の範囲に土間コンクリート層１８の表面位置Ｌが配置されるようにする。例えば、土間コンクリート層１８の厚みを２００mmに設定し、排水管装置２０の本体筒部３０の全長を３２７mmに設定しておくことができる。この場合、本体筒部３０の下部の約１００mmが床下地盤Ｅに埋め込まれる。
【００３８】
図４に示すように、保護筒６０が取り付けられた状態の排水管装置２０が、土間コンクリート層１８に埋め込まれた状態になる。土間コンクリート層１８の表面が取付筒部５０の上端面とほぼ同じ位置に配置される。蓋部４０と取付筒部５０の連結部分が保護筒６０で覆われているので、コンクリート液が連結部分に流入して蓋部４０と取付筒部５０とを接合してしまうことが防止される。
土間コンクリート層１８の施工後、保護筒６０を除去する。
土間コンクリート層１８が完全に硬化する前であれば保護筒６０を抜き取ることができる。保護筒６０を抜き取ったあと、隙間にモルタルやコンクリートを追加供給して埋めることもできる。
【００３９】
土間コンクリート層１８が完全に硬化したあと、土間コンクリート層１８の表面よりも上方に突出する部分の保護筒６０を、ナイフなどで切断除去することもできる。紙管からなる保護筒６０は通常のナイフなどでも容易に切断できる。
〔排水管の使用〕
土間コンクリート層１８が施工され、保護筒６０の全体もしくは一部が除去されたあと、床下空間Ｓにおける各種の施工あるいは住宅の上部構造の施工を行っている間は、排水管装置２０の取付筒部５０の上端開口は蓋部４０で塞いだままにしておく。これによって、各種施工時に発生する塵芥物などが排水管装置２０を詰まらせたりする問題が阻止できる。
【００４０】
住宅の上部構造が施工される前に、雨などで土間コンクリート層１８の上に水が溜まった場合には、排水管装置２０の蓋部４０を取り外すことで、溜まった水を排水することができる。排水が終われば、蓋部４０を再び取り付けておく。
住宅の施工完了後も、通常は本体筒部３０の上端が蓋部４０で塞がれているので、白蟻の侵入は確実に阻止される。また、大量の雨などで一時的に地盤の地下水位が上がったときに、排水管装置２０に浸入した水が土間コンクリート層１８の上に溢れようとしたときにも、蓋部４０によって水の浸入を阻止することができる。
【００４１】
そして、洪水などの水害時に住宅の床下浸水あるいは床上浸水が起きたり、住宅の配管事故などで床下空間に水が溜まったりしたときには、排水管装置２０から蓋部４０を取り外すことで、土間コンクリート層１８の上に溜まった水を迅速に排水することができる。排水が完了したあとは、再び蓋部４０を取り付けておく。
なお、本体筒部３０の外面に防蟻帯３４を貼着しておくことで、排水管装置２０と土間コンクリート層１８との隙間を通って、白蟻が床下空間Ｓに侵入することが確実に阻止できる。土間コンクリート層１８は経時的に収縮したりヒビ割れが生じたりして排水管装置２０との間にわずかな隙間が生じる場合がある。わずかな隙間でも白蟻の侵入経路になる可能性がある。しかし、防蟻帯３４が存在していれば、排水管装置２０の外面を伝って白蟻が侵入することは出来ない。
【００４２】
【発明の効果】
この発明にかかる排水管装置および排水管施工方法は、本体筒部と蓋部との外周を囲む保護筒を備えていることで、土間コンクリート層の打設施工の際に、流動状態のコンクリートが本体筒部と蓋部との間に浸入したり、浸入したコンクリートが硬化して本体筒部と蓋部とを固着してしまったりする問題を解消することができる。
しかも、保護筒の外面に有する指示部が、土間コンクリート層の打設許容範囲を示するので、土間コンクリート層の表面位置を排水管装置が排水機能を良好に発揮できる範囲に、確実かつ簡単に設定することができる。
【図面の簡単な説明】
【図１】  本発明の実施形態を表す住宅の床下構造を示す断面図
【図２】  排水管部分の詳細構造を示す拡大断面図
【図３】  施工前の排水管装置を示す一部断面正面図
【図４】  コンクリート打設状態を示す断面図
【符号の説明】
１０    布基礎
１８    土間コンクリート層
２０    排水管装置
３０    本体筒部
３２    直管部
３４    防蟻帯
３６    間隔保持環
３８    通水部
４０    蓋部
４２    雄ねじ部
４４    フランジ
４６    把手部
５０    取付筒部
５２    雌ねじ部
５４    フランジ
５６    Ｏリング
６０    保護筒
６２    指示部
６４    係止突起
Ｅ      床下地盤
Ｓ      床下空間
【図１】
0004454760.tif 000002
【図２】
0004454760.tif 000003
【図３】
0004454760.tif 000004
【図４】
0004454760.tif 000005